(57)【特許請求の範囲】
【請求項１】
冷蔵空間及び前記冷蔵空間の下方に設けられた少なくとも１つの冷凍空間が内部に区画された筐体と、前記筐体の前面側に配置され、ユーザが前記冷蔵空間及び前記冷凍空間を開閉するための扉と、圧縮機を含み且つ前記冷蔵空間及び前記冷凍空間に冷気を提供する冷却システムと、ファンを含み且つ前記冷蔵空間と制御可能に連通する冷蔵空気出口及び前記冷凍空間と制御可能に連通する冷凍空気出口を有し、前記冷却システムからの冷気を制御可能に前記冷蔵空間及び／又は前記冷凍空間に送出する分流送風装置と、前記冷蔵空気出口と共に前記冷蔵空間への冷気を調整するための冷蔵ダンパーと、を含む冷蔵庫の冷却制御方法において、
前記冷凍空間の実測温度を検出し、前記冷凍空間の実測温度に基づき前記冷凍空間の冷凍パラメータを設定するステップと、
少なくとも１つの前記冷凍空間の実測温度が所定の冷凍開始温度よりも高い場合に、前記冷蔵空間の実測温度を検出し、前記冷蔵空間の実測温度に基づき前記冷蔵空間の冷蔵パラメータを設定し、かつ前記冷蔵空間の実測温度が所定の冷蔵開始温度よりも高く、且つ少なくとも１つの前記冷凍空間の実測温度と前記冷凍開始温度の差分が第１の所定閾値よりも大きい場合に、前記冷蔵パラメータ及び前記冷凍パラメータをリセットするステップであって、前記冷蔵パラメータ及び前記冷凍パラメータのそれぞれが第１のパラメータ、第２のパラメータ及び第３のパラメータという互いに異なる３つのパラメータを包括しているステップと、
前記冷蔵パラメータ、前記冷凍パラメータの集合に基づき前記圧縮機、前記ファン、前記冷蔵ダンパー及び前記分流送風装置を前記集合に対応するプリセット状態で動作させるステップと、
を含み、
前記冷凍空間の実測温度に基づき前記冷凍空間の前記冷凍パラメータを設定するステップが、前記冷凍空間の実測温度が前記所定の冷凍開始温度よりも高いかを判断するステップと、高ければ、前記冷凍パラメータを前記第２のパラメータに設定するステップと、高くなければ、前記冷凍パラメータを前記第１のパラメータに設定するステップとを備えており、
前記冷蔵空間の実測温度に基づき前記冷蔵空間の前記冷蔵パラメータを設定するステップが、前記冷蔵空間の実測温度が前記所定の冷蔵開始温度よりも高いかを判断するステップと、高ければ、前記冷蔵パラメータを前記第２のパラメータに設定するステップと、高くなければ、前記冷蔵パラメータを前記第１のパラメータに設定するステップとを備えていることを特徴とする冷蔵庫の冷却制御方法。
【請求項２】
前記冷凍空間は、第１の冷凍空間と第２の冷凍空間を含み、前記冷凍パラメータは前記第１の冷凍空間の第１の冷凍パラメータと前記第２の冷凍空間の第２の冷凍パラメータを含み、且つ前記分流送風装置の冷凍空気出口は前記第１の冷凍空間と制御可能に連通する第１の冷凍空気出口及び前記第２の冷凍空間と制御可能に連通する第２の冷凍空気出口を含み、
前記第１の冷凍パラメータを設定するステップは、前記第１の冷凍空間の実測温度が所定の第１の冷凍開始温度よりも高いかを判定し、高ければ、前記第１の冷凍パラメータを前記第２のパラメータに設定し、高くなければ、前記第１の冷凍パラメータを前記第１のパラメータに設定することを含み、
前記第２の冷凍パラメータを設定するステップは、前記第２の冷凍空間の実測温度が所定の第２の冷凍開始温度よりも高いかを判定し、高ければ、前記第２の冷凍パラメータを前記第２のパラメータに設定し、高くなければ、前記第２の冷凍パラメータを前記第１のパラメータに設定することを含むことを特徴とする請求項１に記載の冷蔵庫の冷却制御方法。
【請求項３】
前記第１の冷凍空間の実測温度が前記第１の冷凍開始温度よりも高いまたは前記第２の冷凍空間の実測温度が前記第２の冷凍開始温度よりも高い場合に、前記冷蔵空間の冷蔵パラメータを設定するステップは、
前記冷蔵空間の実測温度が所定の冷蔵開始温度よりも高いかを判定し、
高ければ、前記冷蔵パラメータを前記第２のパラメータに設定し、
高くなければ、前記冷蔵パラメータを前記第１のパラメータに設定することを含むことを特徴とする請求項２に記載の冷蔵庫の冷却制御方法。
【請求項４】
前記第１の冷凍空間の実測温度が前記第１の冷凍開始温度以下であり且つ前記第２の冷凍空間の実測温度が前記第２の冷凍開始温度以下である場合に、前記冷蔵パラメータを前記第１のパラメータに設定することを特徴とする請求項３に記載の冷蔵庫の冷却制御方法。
【請求項５】
前記冷蔵パラメータ及び前記冷凍パラメータをリセットするステップは、
前記第１の冷凍空間の実測温度と前記第１の冷凍開始温度との差分が前記第１の所定閾値よりも大きいかを判定し、大きければ、前記冷蔵パラメータを前記第１のパラメータに設定し、前記第１の冷凍パラメータを前記第３のパラメータに設定し、大きくなければ、前記第１の冷凍パラメータを前記第１のパラメータに設定し、
前記第２の冷凍空間の実測温度と前記第２の冷凍開始温度との差分が前記第１の所定閾値よりも大きいかを判定し、大きければ、前記冷蔵パラメータを前記第１のパラメータに設定し、
前記第２の冷凍パラメータを前記第３のパラメータに設定し、大きくなければ、前記第２の冷凍パラメータを前記第１のパラメータに設定することを含むことを特徴とする請求項４に記載の冷蔵庫の冷却制御方法。
【請求項６】
前記冷蔵パラメータをリセットするステップの後に、さらに、
前記冷蔵空間の実測温度と前記冷凍開始温度の差分が第２の所定閾値よりも大きいかを判定し、
大きければ、前記冷蔵パラメータを前記第３のパラメータに設定し、
大きくなければ、前記冷蔵パラメータを変更せずそのまま前記第１のパラメータを維持することを含むことを特徴とする請求項５に記載の冷蔵庫の冷却制御方法。
【請求項７】
前記冷蔵パラメータ、前記第１の冷凍パラメータ及び前記第２の冷凍パラメータが全て前記第１のパラメータである場合に、前記圧縮機及び前記ファンを停止し、前記冷蔵ダンパーを閉じ、前記分流送風装置の前記冷蔵空気出口、前記第１の冷凍空気出口及び前記第２の冷凍空気出口を閉じることを特徴とする請求項６に記載の冷蔵庫の冷却制御方法。
【請求項８】
前記冷蔵パラメータ及び前記第１の冷凍パラメータが前記第１のパラメータであり、前記第２の冷凍パラメータが前記第２のパラメータである場合に、前記圧縮機を所定の第２の圧縮機回転数で動作させ、前記ファンを所定の第２のファン回転数で動作させ、前記冷蔵ダンパーを閉じ、前記分流送風装置の前記冷蔵空気出口及び前記第１の冷凍空気出口を閉じ、前記第２の冷凍空気出口を開くことを特徴とする請求項７に記載の冷蔵庫の冷却制御方法。
【請求項９】
前記冷蔵パラメータ及び前記第２の冷凍パラメータが前記第１のパラメータであり、前記第１の冷凍パラメータが前記第２のパラメータである場合に、前記圧縮機を前記第２の圧縮機回転数で動作させ、前記ファンを前記第２のファン回転数で動作させ、前記冷蔵ダンパーを閉じ、前記分流送風装置の前記冷蔵空気出口及び前記第２の冷凍空気出口を閉じ、前記第１の冷凍空気出口を開くことを特徴とする請求項８に記載の冷蔵庫の冷却制御方法。
【請求項１０】
前記冷蔵パラメータが前記第１のパラメータであり、前記第１の冷凍パラメータ及び前記第２の冷凍パラメータが前記第２のパラメータである場合に、前記圧縮機を前記第２の圧縮機回転数以上の第３の圧縮機回転数で動作させ、前記ファンを前記第２のファン回転数以上の第３のファン回転数で動作させ、前記冷蔵ダンパーを閉じ、前記分流送風装置の前記冷蔵空気出口を閉じ、前記第１の冷凍空気出口及び前記第２の冷凍空気出口を開くことを特徴とする請求項９に記載の冷蔵庫の冷却制御方法。
【請求項１１】
前記冷蔵パラメータが前記第２のパラメータであり、前記第１の冷凍パラメータ及び前記第２の冷凍パラメータが前記第１のパラメータである場合に、前記圧縮機を前記第２の圧縮機回転数以下の第１の圧縮機回転数で動作させ、前記ファンを前記第２のファン回転数以下の第１のファン回転数で動作させ、前記冷蔵ダンパーを開き、前記分流送風装置の前記冷蔵空気出口を開き、前記第１の冷凍空気出口及び前記第２の冷凍空気出口を閉じることを特徴とする請求項１０に記載の冷蔵庫の冷却制御方法。
【請求項１２】
前記冷蔵パラメータ及び前記第１の冷凍パラメータが前記第１のパラメータであり、前記第２の冷凍パラメータが前記第３のパラメータである場合に、前記圧縮機を前記第３の圧縮機回転数以上の第４の圧縮機回転数で動作させ、前記ファンを前記第３のファン回転数以上の第４のファン回転数で動作させ、前記冷蔵ダンパーを閉じ、前記分流送風装置の前記冷蔵空気出口及び前記第１の冷凍空気出口を閉じ、前記第２の冷凍空気出口を開くことを特徴とする請求項１１に記載の冷蔵庫の冷却制御方法。
【請求項１３】
前記冷蔵パラメータ及び前記第２の冷凍パラメータが前記第１のパラメータであり、前記第１の冷凍パラメータが前記第３のパラメータである場合に、前記圧縮機を前記第４の圧縮機回転数で動作させ、前記ファンを前記第４のファン回転数で動作させ、前記冷蔵ダンパーを閉じ、前記分流送風装置の前記冷蔵空気出口及び前記第２の冷凍空気出口を閉じ、前記第１の冷凍空気出口を開くことを特徴とする請求項１２に記載の冷蔵庫の冷却制御方法。
【請求項１４】
前記冷蔵パラメータ及び前記第２の冷凍パラメータが前記第３のパラメータであり、前記第１の冷凍パラメータが前記第１のパラメータである場合に、前記圧縮機を前記第４の圧縮機回転数以上の第５の圧縮機回転数で動作させ、前記ファンを前記第４のファン回転数以上の第５のファン回転数で動作させ、前記冷蔵ダンパーを開き、前記分流送風装置の前記冷蔵空気出口及び前記第２の冷凍空気出口を開き、前記第１の冷凍空気出口を閉じることを特徴とする請求項１３に記載の冷蔵庫の冷却制御方法。
【請求項１５】
前記冷蔵パラメータ及び前記第１の冷凍パラメータが前記第３のパラメータであり、前記第２の冷凍パラメータが前記第１のパラメータである場合に、前記圧縮機を前記第５の圧縮機回転数で動作させ、前記ファンを前記第５のファン回転数で動作させ、前記冷蔵ダンパーを開き、前記分流送風装置の前記冷蔵空気出口及び前記第１の冷凍空気出口を開き、前記第２の冷凍空気出口を閉じ、
前記冷蔵パラメータが前記第１のパラメータであり、前記第１の冷凍パラメータ及び前記第２の冷凍パラメータが前記第３のパラメータである場合に、前記圧縮機を前記第５の圧縮機回転数以上の第６の圧縮機回転数で動作させ、前記ファンを前記第５のファン回転数以上の第６のファン回転数で動作させ、前記冷蔵ダンパーを閉じ、前記分流送風装置の前記冷蔵空気出口を閉じ、前記第１の冷凍空気出口及び前記第２の冷凍空気出口を開き、
前記冷蔵パラメータ、前記第１の冷凍パラメータ及び前記第２の冷凍パラメータが全て前記第３のパラメータである場合に、前記圧縮機を前記第６の圧縮機回転数以上の第７の圧縮機回転数で動作させ、前記ファンを前記第６のファン回転数以上の第７のファン回転数で動作させ、前記冷蔵ダンパーを開き、前記分流送風装置の前記冷蔵空気出口、前記第１の冷凍空気出口及び前記第２の冷凍空気出口を全て開くことを特徴とする請求項１４に記載の冷蔵庫の冷却制御方法。
【発明の詳細な説明】
【技術分野】
【０００１】
本出願は、２０１７年０６月２９日に出願され、出願番号が２０１７１０５１６００９．１であり、発明名称が「冷蔵庫の冷却制御方法及びコンピュータ記憶媒体」である中国特許出願の優先権を主張し、当該出願の全文が引用により本出願に組み込まれる。
【０００２】
本発明は、冷却制御分野に関し、特に冷蔵庫の冷却制御方法及びコンピュータ記憶媒体に関する。
【背景技術】
【０００３】
社会の発展と人々の生活水準の継続的な向上により、人々の生活リズムはどんどん速くなってきているので、冷蔵庫でたくさんの食品を貯蔵するケースが多く、冷蔵庫は人々の日常生活に欠かせない家電の一つとなっている。
【０００４】
しかしながら、現在、冷蔵空間と冷凍空間を有する単一システムの空冷式冷蔵庫には、次のような欠点がある。第１に、冷蔵空間を個別に冷却することができず、冷蔵空間を冷却すると同時に必然的に冷凍空間へ送風し、冷蔵空間の温風が蒸発器に戻り、蒸発器の温度が高くなり、送風空気の温度が高くなるため、冷凍空間の温度が上昇し、冷凍空間の温度安定性に寄与せず、食品の保存効果に悪影響を与える。第２に、冷凍空間の温度帯制御ができず、２つの冷凍空間を有する冷蔵庫の場合に、２つの冷凍空間の温度が単一のセンサによって制御されるので、不十分な温度均一性及び安定性をもたらし、ある冷凍空間の温度が高すぎる又は低すぎると、省エネ及び食品保存に寄与しない。
【発明の概要】
【発明が解決しようとする課題】
【０００５】
本発明の目的は、冷蔵庫の貯蔵空間の温度安定性を改善することである。
【０００６】
本発明のさらなる目的は、冷蔵庫のエネルギー消費量を減らし、冷蔵庫内の食品の貯蔵効果を改善することである。
【課題を解決するための手段】
【０００７】
特に、本発明は、冷蔵空間及び冷蔵空間の下方に設けられた少なくとも１つの冷凍空間が内部に区画された筐体と、筐体の前面側に配置され、ユーザが冷蔵空間及び冷凍空間を開閉するための扉と、圧縮機を含み且つ冷蔵空間及び冷凍空間に冷気を提供する冷却システムと、ファンを含み且つ冷蔵空間と制御可能に連通する冷蔵空気出口及び冷凍空間と制御可能に連通する冷凍空気出口を有し、冷却システムからの冷気を制御可能に冷蔵空間及び／又は冷凍空間に送出する分流送風装置と、冷蔵空気出口と共に冷蔵空間への冷気を調整するための冷蔵ダンパーと、を含む冷蔵庫の冷却制御方法において、冷凍空間の実測温度を検出し、冷凍空間の実測温度に基づき冷凍空間の冷凍パラメータを設定するステップと、少なくとも１つの冷凍空間の実測温度が所定の冷凍開始温度よりも高い場合に、冷蔵空間の実測温度を検出し、冷蔵空間の実測温度に基づき冷蔵空間の冷蔵パラメータを設定し、かつ冷蔵空間の実測温度が所定の冷蔵開始温度よりも高く、且つ少なくとも１つの冷凍空間の実測温度と冷凍開始温度の差分が第１の所定閾値よりも大きい場合に、冷蔵パラメータ及び冷凍パラメータをリセットするステップであって、冷蔵パラメータ及び冷凍パラメータのそれぞれが第１のパラメータ、第２のパラメータ及び第３のパラメータを包括しているステップと、冷蔵パラメータ、冷凍パラメータの集合に基づき圧縮機、ファン、冷蔵ダンパー及び分流送風装置を集合に対応するプリセット状態で動作させるステップと、を含む冷蔵庫の冷却制御方法を提供する。
【０００８】
また、冷凍空間は、第１の冷凍空間と第２の冷凍空間を含み、冷凍パラメータは第１の冷凍空間の第１の冷凍パラメータと第２の冷凍空間の第２の冷凍パラメータを含み、且つ分流送風装置の冷凍空気出口は第１の冷凍空間と制御可能に連通する第１の冷凍空気出口及び第２の冷凍空間と制御可能に連通する第２の冷凍空気出口を含み、そして第１の冷凍パラメータを設定するステップは、第１の冷凍空間の実測温度が所定の第１の冷凍開始温度よりも高いかを判定し、ＹＥＳであれば、第１の冷凍パラメータを第２のパラメータに設定し、ＮＯであれば、第１の冷凍パラメータを第１のパラメータに設定することを含み、第２の冷凍パラメータを設定するステップは、第２の冷凍空間の実測温度が所定の第２の冷凍開始温度よりも高いかを判定し、ＹＥＳであれば、第２の冷凍パラメータを第２のパラメータに設定し、ＮＯであれば、第２の冷凍パラメータを第１のパラメータに設定することを含んでもよい。
【０００９】
また、第１の冷凍空間の実測温度が第１の冷凍開始温度よりも高いまたは第２の冷凍空間の実測温度が第２の冷凍開始温度よりも高い場合に、冷蔵空間の冷蔵パラメータを設定するステップは、冷蔵空間の実測温度が所定の冷蔵開始温度よりも高いかを判定し、ＹＥＳであれば、冷蔵パラメータを第２のパラメータに設定し、ＮＯであれば、冷蔵パラメータを第１のパラメータに設定することを含んでもよい。
【００１０】
また、第１の冷凍空間の実測温度が第１の冷凍開始温度以下であり且つ第２の冷凍空間の実測温度が第２の冷凍開始温度以下である場合に、冷蔵パラメータを第１のパラメータに設定してもよい。
【００１１】
また、冷蔵パラメータ及び冷凍パラメータをリセットするステップは、第１の冷凍空間の実測温度と第１の冷凍開始温度との差分が第１の所定閾値よりも大きいかを判定し、ＹＥＳであれば、冷蔵パラメータを第１のパラメータに設定し、第１の冷凍パラメータを第３のパラメータに設定し、ＮＯであれば、第１の冷凍パラメータを第１のパラメータとし、第２の冷凍空間の実測温度と第２の冷凍開始温度との差分が第１の所定閾値よりも大きいかを判定し、ＹＥＳであれば、冷蔵パラメータを第１のパラメータに設定し、第２の冷凍パラメータを第３のパラメータに設定し、ＮＯであれば、第２の冷凍パラメータを第１のパラメータに設定することを含んでもよい。
【００１２】
また、冷蔵パラメータをリセットするステップの後に、さらに、冷蔵空間の実測温度と冷蔵開始温度の差分が第２の所定閾値よりも大きいかを判定し、ＹＥＳであれば、冷蔵パラメータを第３のパラメータに設定し、ＮＯであれば、冷蔵パラメータを変更せずそのまま第１のパラメータを維持することを含んでもよい。
【００１３】
また、冷蔵パラメータ、第１の冷凍パラメータ及び第２の冷凍パラメータが全て第１のパラメータである場合に、圧縮機及びファンを停止し、冷蔵ダンパーを閉じ、分流送風装置の冷蔵空気出口、第１の冷凍空気出口及び第２の冷凍空気出口を閉じてもよい。
【００１４】
また、冷蔵パラメータ及び第１の冷凍パラメータが第１のパラメータであり、第２の冷凍パラメータが第２のパラメータである場合に、圧縮機を所定の第２の圧縮機回転数で動作させ、ファンを所定の第２のファン回転数で動作させ、冷蔵ダンパーを閉じ、分流送風装置の冷蔵空気出口及び第１の冷凍空気出口を閉じ、第２の冷凍空気出口を開いてもよい。
【００１５】
また、冷蔵パラメータ及び第２の冷凍パラメータが第１のパラメータであり、第１の冷凍パラメータが第２のパラメータである場合に、圧縮機を第２の圧縮機回転数で動作させ、ファンを第２のファン回転数で動作させ、冷蔵ダンパーを閉じ、分流送風装置の冷蔵空気出口及び第２の冷凍空気出口を閉じ、第１の冷凍空気出口を開いてもよい。
【００１６】
また、冷蔵パラメータが第１のパラメータであり、第１の冷凍パラメータ及び第２の冷凍パラメータが第２のパラメータである場合に、圧縮機を第２の圧縮機回転数以上の第３の圧縮機回転数で動作させ、ファンを第２のファン回転数以上の第３のファン回転数で動作させ、冷蔵ダンパーを閉じ、分流送風装置の冷蔵空気出口を閉じ、第１の冷凍空気出口及び第２の冷凍空気出口を開いてもよい。
【００１７】
また、冷蔵パラメータが第２のパラメータであり、第１の冷凍パラメータ及び第２の冷凍パラメータが第１のパラメータである場合に、圧縮機を第２の圧縮機回転数以下の第１
の圧縮機回転数で動作させ、ファンを第２のファン回転数以下の第１のファン回転数で動作させ、冷蔵ダンパーを開き、分流送風装置の冷蔵空気出口を開き、第１の冷凍空気出口及び第２の冷凍空気出口を閉じてもよい。
【００１８】
また、冷蔵パラメータ及び第１の冷凍パラメータが第１のパラメータであり、第２の冷凍パラメータが第３のパラメータである場合に、圧縮機を第３の圧縮機回転数以上の第４の圧縮機回転数で動作させ、ファンを第３のファン回転数以上の第４のファン回転数で動作させ、冷蔵ダンパーを閉じ、分流送風装置の冷蔵空気出口及び第１の冷凍空気出口を閉じ、第２の冷凍空気出口を開いてもよい。
【００１９】
また、冷蔵パラメータ及び第２の冷凍パラメータが第１のパラメータであり、第１の冷凍パラメータが第３のパラメータである場合に、圧縮機を第４の圧縮機回転数で動作させ、ファンを第４のファン回転数で動作させ、冷蔵ダンパーを閉じ、分流送風装置の冷蔵空気出口及び第２の冷凍空気出口を閉じ、第１の冷凍空気出口を開いてもよい。
【００２０】
また、冷蔵パラメータ及び第２の冷凍パラメータが第３のパラメータであり、第１の冷凍パラメータが第１のパラメータである場合に、圧縮機を第４の圧縮機回転数以上の第５の圧縮機回転数で動作させ、ファンを第４のファン回転数以上の第５のファン回転数で動作させ、冷蔵ダンパーを開き、分流送風装置の冷蔵空気出口及び第２の冷凍空気出口を開き、第１の冷凍空気出口を閉じてもよい。
【００２１】
また、冷蔵パラメータ及び第１の冷凍パラメータが第３のパラメータであり、第２の冷凍パラメータが第１のパラメータである場合に、圧縮機を第５の圧縮機回転数で動作させ、ファンを第５のファン回転数で動作させ、冷蔵ダンパーを開き、分流送風装置の冷蔵空気出口及び第１の冷凍空気出口を開き、第２の冷凍空気出口を閉じてもよい。
【００２２】
また、冷蔵パラメータが第１のパラメータであり、第１の冷凍パラメータ及び第２の冷凍パラメータが第３のパラメータである場合に、圧縮機を第５の圧縮機回転数以上の第６の圧縮機回転数で動作させ、ファンを第５のファン回転数以上の第６のファン回転数で動作させ、冷蔵ダンパーを閉じ、分流送風装置の冷蔵空気出口を閉じ、第１の冷凍空気出口及び第２の冷凍空気出口を開いてもよい。
【００２３】
また、冷蔵パラメータ、第１の冷凍パラメータ及び第２の冷凍パラメータが全て第３のパラメータである場合に、圧縮機を第６の圧縮機回転数以上の第７の圧縮機回転数で動作させ、ファンを第６のファン回転数以上の第７のファン回転数で動作させ、冷蔵ダンパーを開き、分流送風装置の冷蔵空気出口、第１の冷凍空気出口及び第２の冷凍空気出口を全て開いてもよい。
【００２４】
本発明の他方の面では、コンピュータプログラムが記憶されるコンピュータ記憶媒体であって、コンピュータプログラムを実行することによりコンピュータ記憶媒体を有する装置に上記いずれか１つの冷蔵庫の冷却制御方法を実行させるコンピュータ記憶媒体を提供する。
【発明の効果】
【００２５】
本発明の冷蔵庫の冷却制御方法及びコンピュータ記憶媒体によれば、冷凍空間の実測温度を検出し、冷凍空間の実測温度に基づき冷凍空間の冷凍パラメータを設定し、少なくとも１つの冷凍空間の実測温度が所定の冷凍開始温度よりも高い場合に、冷蔵空間の実測温度を検出し、冷蔵空間の実測温度に基づき冷蔵空間の冷蔵パラメータを設定し、かつ冷蔵空間の実測温度が所定の冷蔵開始温度よりも高く、且つ少なくとも１つの冷凍空間の実測温度と冷凍開始温度の差分が第１の所定閾値よりも大きい場合に、冷蔵パラメータ及び冷
凍パラメータをリセットし、かつ冷蔵パラメータ、冷凍パラメータの集合に基づき圧縮機、ファン、冷蔵ダンパー及び分流送風装置を集合に対応するプリセット状態で動作させることによって、単一の貯蔵空間の単独冷却または複数の貯蔵空間の同時冷却を実現し、冷蔵空間および冷凍空間の実測温度状況を一括考慮し、各貯蔵空間の冷却要求を満たし、冷蔵庫の貯蔵空間の温度安定性が改善される。
【００２６】
さらに、本発明の冷蔵庫の冷却制御方法及びコンピュータ記憶媒体によれば、冷蔵庫の冷凍空間は第１の冷凍空間及び第２の冷凍空間を含み、冷凍パラメータは第１の冷凍空間の第１の冷凍パラメータ及び第２の冷凍空間の第２の冷凍パラメータを含み、且つ分流送風装置の冷凍空気出口は第１の冷凍空間と制御可能に連通する第１の冷凍空気出口、及び第２の冷凍空間と制御可能に連通する第２の冷凍空気出口を含み、少なくとも１つの冷凍空間の実測温度が所定の冷凍開始温度よりも高い場合に、冷蔵空間の実測温度が所定の冷蔵開始温度より高いと、冷凍空間の冷却優先度を決定し冷蔵パラメータ及び冷凍パラメータをリセットする必要があり、かつ冷凍空間の実測温度と冷凍開始温度の差分が第１の所定閾値より高く冷蔵空間の実測温度と冷蔵開始温度の差分が第２の所定閾値より高い場合に、さらに冷蔵パラメータを設定し、異なる貯蔵空間の冷却優先度を決定して、冷却優先度が高い貯蔵空間を冷却し、冷却制御方法がより科学的かつ合理的であり、各貯蔵空間の温度均一性及び安定性が悪く、ある貯蔵空間の温度が高すぎる又は低すぎるという状況を避け、効果的にエネルギー消費量を低減し各貯蔵空間内の食品の貯蔵効果が改善される。
【００２７】
当業者にとって、本発明の上記ならびに他の目的、利点および特徴は、以下図面を参照して本発明の具体的な実施形態を詳しく説明することによってより明らかであろう。
【図面の簡単な説明】
【００２８】
本発明のいくつかの特定の実施形態は、限定ではなく例として以下に詳細に説明される。図面中の同じ参照番号は、同じまたは類似の部分を示す。当業者は、図面が必ずしも一定の縮尺で描かれていないことを理解すべきである。
【００２９】
【図１】本発明の一実施形態による冷蔵庫の冷却制御方法が適用される冷蔵庫の模式的構造図である。
【図２】図１の冷蔵庫の分流送風装置の模式的構造図である。
【図３】本発明の一実施形態による冷蔵庫の冷却制御方法の模式図である。
【図４】本発明の一実施形態による冷蔵庫の冷却制御方法の詳細フローチャートである。
【図５】本発明の一実施形態によるコンピュータ記憶媒体の模式図である。
【発明を実施するための形態】
【００３０】
本実施形態では、単一貯蔵空間の単独冷却または複数の貯蔵空間の同時冷却を実現し、冷蔵空間および冷凍空間の実測温度状況を一括考慮してより合理的に冷却を行うことで、各貯蔵空間の冷却要求を満たし、冷蔵庫貯蔵空間の温度安定性を改善することができる冷蔵庫の冷却制御方法を提供する。図１は本発明の一実施形態による冷蔵庫の冷却制御方法が適用される冷蔵庫１００の模式的構造図であり、該冷蔵庫１００は一般的に筐体１０と、扉と、冷却システムと、分流送風装置２０と冷蔵ダンパーを含む。
【００３１】
筐体１０の内部には複数の貯蔵空間が区画されてもよい。貯蔵空間の数及び構造はニーズに応じて変更され、図１に上下に位置する第１の空間、第２の空間及び第３の空間の状況を示し、以上の貯蔵空間が用途に応じて別々に冷蔵空間、冷凍空間、温度可変空間または鮮度保持空間として構成することができる。各貯蔵空間の内部は仕切り板によって複数の貯蔵領域に分割され、ラックまたは引き出しによって物品を貯蔵する。本実施形態の冷蔵庫１００の筐体１０内に冷蔵空間１１と冷蔵空間１１の下方に位置する少なくとも１つの冷凍空間に区画され、本実施形態では、それぞれ第１の冷凍空間１２及び第２の冷凍空
間１３という２つの冷凍空間があり、即ち本実施形態の冷蔵庫１００は、上下に位置する冷蔵空間１１、第１の冷凍空間１２及び第２の冷凍空間１３を有する。他の実施形態では、冷蔵庫１００は１つの冷蔵空間及び１つの冷凍空間のみを有してもよい。
【００３２】
扉２０は、ユーザが冷蔵庫１００の貯蔵空間を開閉するために筐体１０の前面側に配置されている。本実施形態の冷蔵庫１００の貯蔵空間は冷蔵空間１１、第１の冷凍空間１２及び第２の冷凍空間１３を含み、扉が貯蔵空間に対応して配置され、即ち貯蔵空間ごとに１つまたは複数の扉が配置されている。貯蔵空間及扉の数、貯蔵空間の機能は、実情に合わせて選択することができる。他の実施形態では、貯蔵空間の開き方式として引き出しタイプを採用し、引き出しタイプの貯蔵空間を実現してもよい。
【００３３】
冷蔵庫１００の冷却システムは、貯蔵空間へ冷気を提供するように構成されている。本実施形態の冷却システムは圧縮機室内に配置可能な圧縮機を備える。具体的には、冷却システムは圧縮機、凝縮器、絞り装置及び蒸発器等からなる冷却サイクルシステムである。筐体１０はまた、内部に冷却空間を有し、冷却システムの蒸発器をその冷却空間内に配置してもよい。当業者に知られているように、冷却システムは半導体冷却システムのような他の種類の冷却システムでもあり得、半導体冷却システムのコールドエンドディフューザを冷却空間内に配置してもよい。本実施形態の冷蔵庫１００の貯蔵空間は、上から下に冷蔵空間１１、第１の冷凍空間１２及び第２の冷凍空間１３を含み、冷却システムは冷蔵空間１１および冷凍空間へ異なる冷気を提供することにより、冷蔵空間１１および冷凍空間内の温度も異なる。ただし、冷蔵空間１１内の温度は一般に２℃〜１０℃、好ましくは３℃〜８℃である。冷凍空間内の温度範囲は、一般に−２２℃〜−１４℃である。食品の種類ごとに最適な貯蔵温度は同じではなく、貯蔵に適した貯蔵空間も異なる。例えば、果物や野菜の食品は冷蔵空間１１に貯蔵するのに適しており、肉の食品は冷凍空間に貯蔵するの適している。
【００３４】
図２は、図１の冷蔵庫１００における分流送風装置２０の模式的構造図であり、分流送風装置２０は一般にハウジング２１と調整部材（ハウジング２１の内部に配置されているので図示省略）を含み得る。ハウジング２１は、少なくとも１つの空気入口２２１と複数の空気出口２２を含み、気流を少なくとも１つの空気入口２２１を介してハウジング２１内へ流入させ、かつ複数の空気出口２２を介して該ハウジング２１から流出させる。調整部材は、制御可能にそれぞれの空気出口２２を完全に遮蔽、部分的遮蔽または完全に露出させ、複数の空気出口２２からの送風面積を調整する。例えば、調整部材は、異なる位置で各空気出口２２を完全に遮蔽、部分的遮蔽または完全に露出させる。本発明の実施形態における分流送風装置２０の調整部材は、空気入口２２１から流入する冷気を制御可能に複数の空気出口２２に分配し、各空気出口２２と連通する送風空気通路の開閉及び／又は各送風空気通路内の送風量を調整でき、さらに異なる貯蔵空間の冷却要求を満たす。
【００３５】
本実施形態の分流送風装置２０は、３つの空気出口を有し、且つ３つの空気出口がハウジング２１の周方向に沿って順次間隔を空けて設けられている。これら３つの空気出口２２は、冷蔵空間１１と制御可能に連通する冷蔵空気出口２２２と、第１の冷凍空間１２と制御可能に連通する第１の冷凍空気出口２２３と、第２の冷凍空間１３と制御可能に連通する第２の冷凍空気出口２２４を有し、冷却システムからの冷気を制御可能に冷蔵空間１１及び／又は第１の冷凍空間１２及び／又は第２の冷凍空間１３に供給することができる。他の実施形態では、冷蔵庫１００は１つの冷蔵空間及び１つの冷凍空間のみを有する場合に、分流送風装置２０は、それぞれ冷蔵空間および冷凍空間と制御可能に連通する２つのみの空気出口を有し得る。
【００３６】
本実施形態の分流送風装置２０におけるファン２３は、送風効率を改善するために、気流を少なくとも１つの空気入口２２１からハウジング２１に流入させかつ複数の空気出口
２２中の１つまたは複数の空気出口を介してハウジング２１から流出させるように構成されている。ファン２３は独立して本発明の実施形態における分流送風装置２０に空気を導入することができる。さらに、いくつかの実施形態では、ファン２３は、ハウジング２１内に配置された遠心羽根車であり得、いくつかの代替の実施形態では、ファン２３は、ハウジング２１の空気入口２２１に配置された軸流ファン、軸流ベンチレータまたは遠心ファンであってもよい。もちろん、ファン２３は遠心羽根車であり、且つハウジング２１内に配置されれば、分流送風装置２０の構造がコンパクトになり、体積が小さくなる。
【００３７】
冷蔵ダンパーは冷蔵空気出口２２２とともに冷蔵空間１１へ冷気を調整するように構成され、冷蔵ダンパー（図示せず）は、冷蔵空気出口２２２が閉じられた時の空気漏れによる冷蔵空間１１の温度低下を避けるために、冷蔵空間１１の底部に配置され、冷蔵ダンパーによってシール性をさらに確保でき、冷蔵空間１１の温度をより正確に制御することができる。
【００３８】
図３は本発明の一実施形態による冷蔵庫の冷却制御方法の模式図である。該冷蔵庫の冷却制御方法は、上記任意の実施形態の冷蔵庫１００に適用され得る。図３に示すように、食品用の冷蔵庫の温度制御方法は以下のステップを実行することができる。
【００３９】
ステップＳ３０２：冷凍空間の実測温度を検出し、冷凍空間の実測温度に基づき冷凍空間の冷凍パラメータを設定する。
【００４０】
ステップＳ３０４：少なくとも１つの冷凍空間の実測温度が所定の冷凍開始温度よりも高い場合に、冷蔵空間１１の実測温度を検出し、冷蔵空間１１の実測温度に基づき冷蔵空間１１の冷蔵パラメータを設定し、冷蔵空間１１の実測温度が所定の冷蔵開始温度よりも高く、且つ少なくとも１つの冷凍空間の実測温度と冷凍開始温度の差分が第１の所定閾値よりも大きい場合に、冷蔵パラメータ及び冷凍パラメータをリセットする。
【００４１】
ステップＳ３０６：冷蔵パラメータおよび冷凍パラメータの集合に基づき圧縮機、ファン２３、冷蔵ダンパー及び分流送風装置２０を集合に対応するプリセット状態で動作させる。
【００４２】
ステップＳ３０２及びステップＳ３０４では、冷蔵空間１１および冷凍空間に配置された温度センサによって冷蔵空間１１および冷凍空間の実測温度を検出することができる。温度センサの種類、サイズ及び配置位置は実際ニーズや状況に応じて設定することができる。本実施形態の冷蔵庫１００は冷蔵空間１１、第１の冷凍空間１２及び第２の冷凍空間１３を有し、３つの貯蔵空間にそれぞれ温度センサを配置して、３つの貯蔵空間の実測温度を検出することができる。
【００４３】
ステップＳ３０２及びステップＳ３０４では冷蔵パラメータおよび冷凍パラメータはすべて第１のパラメータ、第２のパラメータ及び第３のパラメータを包括している。ここで、第１のパラメータ、第２のパラメータ及び第３のパラメータは互いに異なるパラメータである。例えば第１のパラメータを０とし、第２のパラメータを１とし、第３のパラメータを２とする。３つのパラメータによって各貯蔵空間の冷却要否及び冷却優先度を示す。例えば第１のパラメータ０は冷却不要を示し、第２のパラメータ１及び第３のパラメータ２は冷却必要を示し、且つ第２のパラメータ１よりも第３のパラメータ２に示す優先度が高い。以上３つのパラメータの具体的な値は例示的なもので、本発明を限定するものではなく、他の実施形態では、３つのパラメータは他の異なる３つの値であってもよい。
【００４４】
本実施形態の冷蔵庫１００は冷蔵空間１１、第１の冷凍空間１２及び第２の冷凍空間１３を有するので、冷凍パラメータは第１の冷凍空間１２の第１の冷凍パラメータ及び第２の冷凍空間１３の第２の冷凍パラメータを含み得る。即ち、ステップＳ３０６におけるパラメータの集合は３つの値の集合である。他の実施形態では、冷蔵庫１００が１つの冷蔵空間及び１つの冷凍空間のみを有する場合に、パラメータの集合は２つの値の集合でありえる。
【００４５】
ステップＳ３０２では冷凍空間の冷凍パラメータの設定は、第１の冷凍空間１２の第１の冷凍パラメータ及び第２の冷凍空間１３の第２の冷凍パラメータを設定することを含む。具体的には、第１の冷凍パラメータを設定するステップは、第１の冷凍空間１２の実測温度が所定の第１の冷凍開始温度よりも高いかを判定し、ＹＥＳであれば、第１の冷凍パラメータを第２のパラメータに設定し、ＮＯであれば、第１の冷凍パラメータを第１のパラメータに設定することを含み得、第２の冷凍パラメータを設定するステップは、第２の冷凍空間１３の実測温度が所定の第２の冷凍開始温度よりも高いかを判定し、ＹＥＳであれば、第２の冷凍パラメータを第２のパラメータに設定し、ＮＯであれば、第２の冷凍パラメータを第１のパラメータに設定することを含み得る。
【００４６】
ステップＳ３０４では少なくとも１つの冷凍空間の実測温度が所定の冷凍開始温度よりも高い場合に、即ち第１の冷凍空間１２の実測温度が第１の冷凍開始温度より高くまたは第２の冷凍空間１３の実測温度が第２の冷凍開始温度より高い場合に、冷蔵空間１１の実測温度を検出し、冷蔵空間１１の実測温度に基づき冷蔵空間１１の冷蔵パラメータを設定することができる。具体的には、冷蔵空間１１の実測温度が所定の冷蔵開始温度より高いかを判定し、ＹＥＳであれば、冷蔵パラメータを第２のパラメータに設定し、ＮＯであれば、冷蔵パラメータを第１のパラメータに設定することができる。そして、冷蔵空間１１の実測温度が所定の冷蔵開始温度より高く且つ少なくとも１つの冷凍空間の実測温度と冷凍開始温度の差分が第１の所定閾値よりも大きい場合に、冷蔵パラメータおよび冷凍パラメータをリセットすることができる。冷却優先度が最も高い貯蔵空間を決定して、その優先度を有する貯蔵空間を冷却するので、冷却制御方法がより科学的かつ合理的である。
【００４７】
冷蔵パラメータ及び冷凍パラメータをリセットするステップは、第１の冷凍空間１２の実測温度と第１の冷凍開始温度との差分が第１の所定閾値よりも大きいかを判定し、ＹＥＳであれば、冷蔵パラメータを第１のパラメータに設定し、第１の冷凍パラメータを第３のパラメータに設定し、ＮＯであれば、第１の冷凍パラメータを第１のパラメータに設定することを含み得、第２の冷凍空間１３の実測温度と第２の冷凍開始温度との差分が第１の所定閾値よりも大きいかを判定し、ＹＥＳであれば、冷蔵パラメータを第１のパラメータに設定し、第２の冷凍パラメータを第３のパラメータに設定し、ＮＯであれば、第２の冷凍パラメータを第１のパラメータに設定することを含み得る。
【００４８】
冷蔵パラメータをリセットするステップの後に、さらに、冷蔵空間１１の実測温度と冷蔵開始温度の差分が第２の所定閾値よりも大きいかを判定し、ＹＥＳであれば、冷蔵パラメータを第３のパラメータに設定し、ＮＯであれば、保持冷蔵パラメータを変更せずそのまま第１のパラメータを維持するすることを含み得る。冷蔵空間の実測温度が高すぎるか、冷却優先度が最も高いかをより正確に判定することができる。
【００４９】
本実施形態の冷蔵庫１００は、第１の冷凍空間１２及び第２の冷凍空間１３という２つの冷凍空間を有するので、１つの冷凍空間の実測温度が所定の冷凍開始温度よりも高ければ、即ち第１の冷凍空間１２または第２の冷凍空間１３の冷却要求があれば、冷蔵空間１１が冷却要求があるかを判定する必要がある。冷蔵空間１１も冷却要求があると、第１の冷凍空間１２または第２の冷凍空間１３の実測温度（所定の冷凍開始温度との差分が第１の所定閾値よりも大きい）が高すぎれば、冷凍空間を冷却し、第１の冷凍空間１２または第２の冷凍空間１３の実測温度が冷凍開始温度より高くても高すぎない場合に、優先的に冷蔵空間１１を冷却する。
【００５０】
少なくとも１つの冷凍空間の実測温度が所定の冷凍開始温度よりも高い場合に、即ち第１の冷凍空間１２の実測温度が第１の冷凍開始温度より高くまたは第２の冷凍空間１３の実測温度が第２の冷凍開始温度より高い場合に、冷蔵空間１１の実測温度を検出し、冷蔵空間１１の実測温度に基づき冷蔵空間１１の冷蔵パラメータを設定する。第１の冷凍空間１２の実測温度が第１の冷凍開始温度以下であり且つ第２の冷凍空間１３の実測温度が第２の冷凍開始温度以下である場合に、即ち全ての冷凍空間は冷却要求がない場合に、直接に冷蔵パラメータを第１のパラメータに設定し、冷蔵空間は冷却要求がないとし、圧縮機等の機器の起動頻度を減らし、効果的にエネルギー消費量を減らすことができる。
【００５１】
ステップＳ３０６における異なる冷蔵パラメータおよび冷凍パラメータの集合によって、対応する圧縮機、ファン２３、冷蔵ダンパー及び分流送風装置２０のプリセット状態も異なる。具体的には、状態情報テーブルを予め用意し、該状態情報テーブルに異なるパラメータ集合に対応するプリセット状態を予め記憶し、パラメータ集合を決定した後に、対応するプリセット状態をマッチングにより取得することができる。プリセット状態には、圧縮機及びファン２３の回転数、冷蔵ダンパーの開閉状態、分流送風装置２０の冷蔵空気出口２２２、第１の冷凍空気出口２２３及び第２の冷凍空気出口２２４の開閉状態が含まれる。
【００５２】
以下、状態情報テーブルの具体例を次に示す。
【００５３】
冷蔵パラメータ、第１の冷凍パラメータ及び第２の冷凍パラメータが全て第１のパラメータである場合に、対応するプリセット状態は、圧縮機及びファン２３を閉じ、冷蔵ダンパーを閉じ、分流送風装置２０の冷蔵空気出口２２２、第１の冷凍空気出口２２３及び第２の冷凍空気出口２２４も閉じることである。
【００５４】
冷蔵パラメータ及び第１の冷凍パラメータが第１のパラメータであり、第２の冷凍パラメータが第２のパラメータである場合に、対応するプリセット状態は、圧縮機を所定の第２の圧縮機回転数で動作させ、ファン２３を所定の第２のファン回転数で動作させ、冷蔵ダンパーを閉じ、分流送風装置２０の冷蔵空気出口２２２及び第１の冷凍空気出口２２３を閉じ、第２の冷凍空気出口２２４を開くことである。
【００５５】
冷蔵パラメータ及び第２の冷凍パラメータが第１のパラメータであり、第１の冷凍パラメータが第２のパラメータである場合に、対応するプリセット状態は、圧縮機を第２の圧縮機回転数で動作させ、ファン２３を第２のファン回転数で動作させ、冷蔵ダンパーを閉じ、分流送風装置２０の冷蔵空気出口２２２及び第２の冷凍空気出口２２４を閉じ、第１の冷凍空気出口２２３を開くことである。
【００５６】
冷蔵パラメータが第１のパラメータであり、第１の冷凍パラメータ及び第２の冷凍パラメータが第２のパラメータである場合に、対応するプリセット状態は、圧縮機を第２の圧縮機回転数以上の第３の圧縮機回転数で動作させ、ファン２３を第２のファン回転数以上の第３のファン回転数で動作させ、冷蔵ダンパーを閉じ、分流送風装置２０の冷蔵空気出口２２２を閉じ、第１の冷凍空気出口２２３及び第２の冷凍空気出口２２４を開くことである。
【００５７】
冷蔵パラメータが第２のパラメータであり、第１の冷凍パラメータ及び第２の冷凍パラメータが第１のパラメータである場合に、対応するプリセット状態は、圧縮機を第２の圧縮機回転数以下の第１の圧縮機回転数で動作させ、ファン２３を第２のファン回転数以下の第１のファン回転数で動作させ、冷蔵ダンパーを開き、分流送風装置２０の冷蔵空気出口２２２を開き、第１の冷凍空気出口２２３及び第２の冷凍空気出口２２４を閉じること
である。
【００５８】
冷蔵パラメータ及び第１の冷凍パラメータが第１のパラメータであり、第２の冷凍パラメータが第３のパラメータである場合に、対応するプリセット状態は、圧縮機を第３の圧縮機回転数以上の第４の圧縮機回転数で動作させ、ファン２３を第３のファン回転数以上の第４のファン回転数で動作させ、冷蔵ダンパーを閉じ、分流送風装置２０の冷蔵空気出口２２２及び第１の冷凍空気出口２２３を閉じ、第２の冷凍空気出口２２４を開くことである。
【００５９】
冷蔵パラメータ及び第２の冷凍パラメータが第１のパラメータであり、第１の冷凍パラメータが第３のパラメータである場合に、対応するプリセット状態は、圧縮機を第４の圧縮機回転数で動作させ、ファン２３を第４のファン回転数で動作させ、冷蔵ダンパーを閉じ、分流送風装置２０の冷蔵空気出口２２２及び第２の冷凍空気出口２２４を閉じ、第１の冷凍空気出口２２３を開くことである。
【００６０】
冷蔵パラメータ及び第２の冷凍パラメータが第３のパラメータであり、第１の冷凍パラメータが第１のパラメータである場合に、対応するプリセット状態は、圧縮機を第４の圧縮機回転数以上の第５の圧縮機回転数で動作させ、ファン２３を第４のファン回転数以上の第５のファン回転数で動作させ、冷蔵ダンパーを開き、分流送風装置２０の冷蔵空気出口２２２及び第２の冷凍空気出口２２４を開き、第１の冷凍空気出口２２３を閉じることである。
【００６１】
冷蔵パラメータ及び第１の冷凍パラメータが第３のパラメータであり、第２の冷凍パラメータが第１のパラメータである場合に、対応するプリセット状態は、圧縮機を第５の圧縮機回転数で動作させ、ファンを第５のファン回転数で動作させ、冷蔵ダンパーを開き、分流送風装置２０の冷蔵空気出口２２２及び第１の冷凍空気出口２２３を開き、第２の冷凍空気出口２２４を閉じることである。
【００６２】
冷蔵パラメータが第１のパラメータであり、第１の冷凍パラメータ及び第２の冷凍パラメータが第３のパラメータである場合に、対応するプリセット状態は、圧縮機を第５の圧縮機回転数以上の第６の圧縮機回転数で動作させ、ファンを第５のファン回転数以上の第６のファン回転数で動作させ、冷蔵ダンパーを閉じ、分流送風装置２０の冷蔵空気出口２２２を閉じ、第１の冷凍空気出口２２３及び第２の冷凍空気出口２２４を開くことである。
【００６３】
冷蔵パラメータ、第１の冷凍パラメータ及び第２の冷凍パラメータが全て第３のパラメータである場合に、対応するプリセット状態は、圧縮機を第６の圧縮機回転数以上の第７の圧縮機回転数で動作させ、ファンを第６のファン回転数以上の第７のファン回転数で動作させ、冷蔵ダンパーを開き、分流送風装置２０の冷蔵空気出口２２２、第１の冷凍空気出口２２３及び第２の冷凍空気出口２２４を全て開くことである。
【００６４】
なお、ステップＳ３０６において、圧縮機、ファン２３、冷蔵ダンパー及び分流送風装置２０は集合に対応するプリセット状態で所定時間動作し、各貯蔵空間の冷却ニーズを満たし、所定時間動作する過程中に、温度検出、パラメータ設定の処理が行われなくなり、貯蔵空間の実測温度がわずか減少する度に冷却要求を判定することによる圧縮機等の機器の動作状態の頻繁変更という状況を避ける。所定時間動作した後に、新しい冷却制御のために上記のステップを再実行することができる。
【００６５】
本実施形態の冷蔵庫の冷却制御方法は、冷凍空間の実測温度を検出し、冷凍空間の実測温度に基づき冷凍空間の冷凍パラメータを設定し、少なくとも１つの冷凍空間の実測温度
が所定の冷凍開始温度よりも高い場合に、冷蔵空間１１の実測温度を検出し、冷蔵空間１１の実測温度に基づき冷蔵空間１１の冷蔵パラメータを設定し、冷蔵空間１１の実測温度が所定の冷蔵開始温度よりも高く、且つ少なくとも１つの冷凍空間の実測温度と冷凍開始温度の差分が第１の所定閾値よりも大きい場合に、冷蔵パラメータ及び冷凍パラメータをリセットし、そして冷蔵パラメータ、冷凍パラメータの集合に基づき圧縮機、ファン２３、冷蔵ダンパー及び分流送風装置２０を集合に対応するプリセット状態で動作させることによって、単一貯蔵空間の単独冷却または複数の貯蔵空間の同時冷却を実現し、冷蔵空間１１および冷凍空間の実測温度状況を一括考慮し、冷却優先度が最も高い貯蔵空間を決定し、より合理的に冷却を行い、各貯蔵空間の冷却要求を満たし、冷蔵庫貯蔵空間の温度安定性を改善することができる。
【００６６】
いくつかの実施形態では、上記ステップに対する更なる改良や設定により冷蔵庫１００のより高い技術効果を実現したが、以下、本実施形態の任意の実行フローと組み合わせて本実施形態の冷蔵庫の冷却制御方法を詳しく説明する。これらは、該実施形態は実行フローの一例に過ぎず、特定の実施形態では、いくつかのステップの実行順序及び動作条件を特定の実施要件に従って変更し得る。図４は本発明の一実施形態による冷蔵庫の冷却制御方法の詳細フローチャートである。本実施形態の冷蔵庫１００は、冷蔵空間１１、第１の冷凍空間１２及び第２の冷凍空間１３を有し、該冷蔵庫の冷却制御方法は、以下のステップを含む。
【００６７】
ステップＳ４０２：冷蔵空間１１、第１の冷凍空間１２及び第２の冷凍空間１３の実測温度ＴＲ、ＴＦ１及びＴＦ２を検出する。
【００６８】
ステップＳ４０４：第１の冷凍空間１２の実測温度ＴＦ１が所定の第１の冷凍開始温度ｔｆ１よりも高いかを判定し、ＹＥＳであれば、ステップＳ４１４を実行し、ＮＯであれば、ステップＳ４０６を実行する。
【００６９】
ステップＳ４０６：第１の冷凍パラメータＦ１（Ｓｔｓｔｅ）を第１のパラメータに設定し、冷蔵パラメータＲ（Ｓｔａｔｅ）を第１のパラメータに設定する。
【００７０】
ステップＳ４０８：第２の冷凍空間１３の実測温度ＴＦ２が所定の第２の冷凍開始温度ｔｆ２よりも高いかを判定し、ＹＥＳであれば、ステップＳ４４２を実行し、ＮＯであれば、ステップＳ４１０を実行する。
【００７１】
ステップＳ４１０：第２の冷凍パラメータＦ２（Ｓｔｓｔｅ）を第１のパラメータに設定し、冷蔵パラメータＲ（Ｓｔａｔｅ）を第１のパラメータに設定する。
【００７２】
ステップＳ４１２：冷蔵パラメータＲ（Ｓｔａｔｅ）、第１の冷凍パラメータＦ１（Ｓｔｓｔｅ）及び第２の冷凍パラメータＦ２（Ｓｔａｔｅ）の集合に基づき圧縮機、ファン２３、冷蔵ダンパー及び分流送風装置２０を集合に対応するプリセット状態で動作させる。
【００７３】
ステップＳ４１４：第１の冷凍パラメータＦ１（Ｓｔｓｔｅ）を第２のパラメータに設定する。
【００７４】
ステップＳ４１６：冷蔵空間１１の実測温度ＴＲが所定の冷蔵開始温度ｔｒよりも高いかを判定し、ＹＥＳであれば、ステップＳ４２０を実行し、ＮＯであれば、ステップＳ４１８を実行する。
【００７５】
ステップＳ４１８：冷蔵パラメータＲ（Ｓｔａｔｅ）を第１のパラメータに設定し、ス
テップＳ４０８を実行する。
【００７６】
ステップＳ４２０：冷蔵パラメータＲ（Ｓｔａｔｅ）を第２のパラメータに設定する。
【００７７】
ステップＳ４２２：第１の冷凍空間１２の実測温度ＴＦ１と第１の冷凍開始温度ｔｆ１の差分が第１の所定閾値Ａよりも大きいかを判定し、ＹＥＳであれば、ステップＳ４２６を実行し、ＮＯであれば、ステップＳ４２４を実行する。
【００７８】
ステップＳ４２４：第１の冷凍パラメータＦ１（Ｓｔｓｔｅ）を第１のパラメータに設定しステップＳ４３２を実行する。
【００７９】
ステップＳ４２６：第１の冷凍パラメータＦ１（Ｓｔｓｔｅ）を第３のパラメータに設定し、冷蔵パラメータＲ（Ｓｔａｔｅ）を第１のパラメータに設定する。
【００８０】
ステップＳ４２８：冷蔵空間１１の実測温度ＴＲと冷蔵開始温度ｔｒの差分が第２の所定閾値Ｂよりも大きいかを判定し、ＹＥＳであれば、ステップＳ４３０を実行し、ＮＯであれば、ステップＳ４３２を実行する。
【００８１】
ステップＳ４３０：冷蔵パラメータＲ（Ｓｔａｔｅ）を第３のパラメータに設定する。
【００８２】
ステップＳ４３２：第２の冷凍空間１３の実測温度ＴＦ２と第２の冷凍開始温度ｔｆ２の差分が第１の所定閾値Ａよりも大きいかを判定し、ＹＥＳであれば、ステップＳ４３６を実行し、ＮＯであれば、ステップＳ４３４を実行する。
【００８３】
ステップＳ４３４：第２の冷凍パラメータＦ２（Ｓｔａｔｅ）を第１のパラメータに設定し、ステップＳ４１２を実行する。
【００８４】
ステップＳ４３６：第２の冷凍パラメータＦ２（Ｓｔａｔｅ）を第３のパラメータに設定し、冷蔵パラメータＲ（Ｓｔａｔｅ）を第１のパラメータに設定する。
【００８５】
ステップＳ４３８：冷蔵空間１１の実測温度ＴＲと冷蔵開始温度ｔｒの差分が第２の所定閾値Ｂよりも大きいかを判定し、ＹＥＳであれば、ステップＳ４４０を実行し、ＮＯであれば、ステップＳ４１２を実行する。
【００８６】
ステップＳ４４０：冷蔵パラメータＲ（Ｓｔａｔｅ）を第３のパラメータに設定し、ステップＳ４１２を実行する。
【００８７】
ステップＳ４４２：第２の冷凍パラメータＦ２（Ｓｔａｔｅ）を第２のパラメータに設定する。
【００８８】
ステップＳ４４４：冷蔵空間１１の実測温度ＴＲが所定の冷蔵開始温度ｔｒよりも高いかを判定し、ＹＥＳであれば、ステップＳ４２０を実行し、ＮＯであれば、ステップＳ４４６を実行する。
【００８９】
ステップＳ４４６：冷蔵パラメータＲ（Ｓｔａｔｅ）を第１のパラメータに設定し、ステップＳ４１２を実行する。
【００９０】
ステップＳ４０２において、冷蔵空間１１、第１の冷凍空間１２及び第２の冷凍空間１３に配置された温度センサによって冷蔵空間１１、第１の冷凍空間１２及び第２の冷凍空間１３の実測温度ＴＲ、ＴＦ１及びＴＦ２を検出することができる。温度センサの種類、サイズ及び配置位置は実際ニーズ及び状況に応じて決定されればよい。
【００９１】
以上のステップにおいて冷蔵パラメータＲ（Ｓｔａｔｅ）、第１の冷凍パラメータＦ１（Ｓｔｓｔｅ）及び第２の冷凍パラメータＦ２（Ｓｔａｔｅ）はそれぞれ第１のパラメータ、第２のパラメータ及び第３のパラメータを包括している。第１のパラメータ、第２のパラメータ及び第３のパラメータは互いに異なるパラメータである。例えば第１のパラメータを０とし、第２のパラメータを１とし、第３のパラメータを２とする。３つのパラメータによって各貯蔵空間の冷却要否及び冷却優先度を示す。例えば第１のパラメータ０は冷却不要を示し、第２のパラメータ１及び第３のパラメータ２は冷却要求を示し、且つ第２のパラメータ１よりも第３のパラメータ２に示される冷却優先度が高い。以上の３つのパラメータの具体値は例示的なものに過ぎず、本発明を限定するものではなく、他の実施形態では、３つのパラメータは他の異なる３つの値であってもよい。
【００９２】
ステップＳ４３６において、異なる冷蔵パラメータＲ（Ｓｔａｔｅ）、第１の冷凍パラメータＦ１（Ｓｔｓｔｅ）及び第２の冷凍パラメータＦ２（Ｓｔａｔｅ）の集合によって、対応する圧縮機、ファン２３、冷蔵ダンパー及び分流送風装置２０のプリセット状態が異なる。具体的には、異なるパラメータ集合に対応するプリセット状態が予め記憶される状態情報テーブルを予め用意し、パラメータ集合を決定した後に、対応するプリセット状態をマッチングによって取得することができる。プリセット状態には、圧縮機及びファン２３の回転数、冷蔵ダンパーの開閉状態、分流送風装置２０の冷蔵空気出口２２２、第１の冷凍空気出口２２３及び第２の冷凍空気出口２２４の開閉状態が含まれる。
【００９３】
以下、状態情報テーブルの具体例を説明する。
【００９４】
第１のパラメータを０とし、第２のパラメータを１とし、第３のパラメータを２とすると、以上のステップの判定により、冷蔵パラメータＲ（Ｓｔａｔｅ）、第１の冷凍パラメータＦ１（Ｓｔｓｔｅ）及び第２の冷凍パラメータＦ２（Ｓｔａｔｅ）の集合には、（０、０、０）、（０、０、１）、（０、１、０）、（０、１、１）、（１、０、０）、（０、０、２）、（０、２、０）、（２、０、２）、（２、２、０）、（０、２、２）、（２、２、２）という組合わせが含まれる。
【００９５】
冷蔵パラメータＲ（Ｓｔａｔｅ）、第１の冷凍パラメータＦ１（Ｓｔｓｔｅ）及び第２の冷凍パラメータＦ２（Ｓｔａｔｅ）が全て第１のパラメータ０である場合に、集合（０、０、０）に対応するプリセット状態は、圧縮機及びファン２３を閉じ、冷蔵ダンパーを閉じ、分流送風装置２０の冷蔵空気出口２２２、第１の冷凍空気出口２２３及び第２の冷凍空気出口２２４をすべて閉じることである。
【００９６】
冷蔵パラメータＲ（Ｓｔａｔｅ）及び第１の冷凍パラメータＦ１（Ｓｔｓｔｅ）が第１のパラメータ０であり、第２の冷凍パラメータＦ２（Ｓｔａｔｅ）が第２のパラメータ１である場合に、集合（０、０、１）に対応するプリセット状態は、圧縮機を所定の第２の圧縮機回転数で動作させ、ファン２３を所定の第２のファン回転数で動作させ、冷蔵ダンパーを閉じ、分流送風装置２０の冷蔵空気出口２２２及び第１の冷凍空気出口２２３を閉じ、第２の冷凍空気出口２２４を開くことである。
【００９７】
冷蔵パラメータＲ（Ｓｔａｔｅ）及び第２の冷凍パラメータＦ２（Ｓｔａｔｅ）が第１のパラメータ０であり、第１の冷凍パラメータＦ１（Ｓｔｓｔｅ）が第２のパラメータ１である場合に、集合（０、１、０）に対応するプリセット状態は、圧縮機を第２の圧縮機回転数で動作させ、ファン２３を第２のファン回転数で動作させ、冷蔵ダンパーを閉じ、分流送風装置２０の冷蔵空気出口２２２及び第２の冷凍空気出口２２４を閉じ、第１の冷凍空気出口２２３を開くことである。
【００９８】
冷蔵パラメータＲ（Ｓｔａｔｅ）が第１のパラメータ０であり、第１の冷凍パラメータＦ１（Ｓｔｓｔｅ）及び第２の冷凍パラメータＦ２（Ｓｔａｔｅ）が第２のパラメータ１である場合に、集合（０、１、１）に対応するプリセット状態は、圧縮機を第２の圧縮機回転数以上の第３の圧縮機回転数で動作させ、ファン２３を第２のファン回転数以上の第３のファン回転数で動作させ、冷蔵ダンパーを閉じ、分流送風装置２０の冷蔵空気出口２２２を閉じ、第１の冷凍空気出口２２３及び第２の冷凍空気出口２２４を開くことである。
【００９９】
冷蔵パラメータＲ（Ｓｔａｔｅ）が第２のパラメータ１であり、第１の冷凍パラメータＦ１（Ｓｔｓｔｅ）及び第２の冷凍パラメータＦ２（Ｓｔａｔｅ）が第１のパラメータ０である場合に、集合（１、０、０）に対応するプリセット状態は、圧縮機を第２の圧縮機回転数以下の第１の圧縮機回転数で動作させ、ファン２３を第２のファン回転数以下の第１のファン回転数で動作させ、冷蔵ダンパーを開き、分流送風装置２０の冷蔵空気出口２２２を開き、第１の冷凍空気出口２２３及び第２の冷凍空気出口２２４を閉じることである。
【０１００】
冷蔵パラメータＲ（Ｓｔａｔｅ）及び第１の冷凍パラメータＦ１（Ｓｔｓｔｅ）が第１のパラメータ０であり、第２の冷凍パラメータＦ２（Ｓｔａｔｅ）が第３のパラメータ２である場合に、集合（０、０、２）に対応するプリセット状態は、圧縮機を第３の圧縮機回転数以上の第４の圧縮機回転数で動作させ、ファン２３を第３のファン回転数以上の第４のファン回転数で動作させ、冷蔵ダンパーを閉じ、分流送風装置２０の冷蔵空気出口２２２及び第１の冷凍空気出口２２３を閉じ、第２の冷凍空気出口２２４を開くことである。
【０１０１】
冷蔵パラメータＲ（Ｓｔａｔｅ）及び第２の冷凍パラメータＦ２（Ｓｔａｔｅ）が第１のパラメータ０であり、第１の冷凍パラメータＦ１（Ｓｔｓｔｅ）が第３のパラメータ２である場合に、集合（０、２、０）に対応するプリセット状態は、圧縮機を第４の圧縮機回転数で動作させ、ファン２３を第４のファン回転数で動作させ、冷蔵ダンパーを閉じ、分流送風装置２０の冷蔵空気出口２２２及び第２の冷凍空気出口２２４を閉じ、第１の冷凍空気出口２２３を開くことである。
【０１０２】
冷蔵パラメータＲ（Ｓｔａｔｅ）及び第２の冷凍パラメータＦ２（Ｓｔａｔｅ）が第３のパラメータ２、第１の冷凍パラメータＦ１（Ｓｔｓｔｅ）は第１のパラメータ０である場合に、集合（２、０、２）に対応するプリセット状態は、圧縮機を第４の圧縮機回転数以上の第５の圧縮機回転数で動作させ、ファン２３を第４のファン回転数以上の第５のファン回転数で動作させ、冷蔵ダンパーを開き、分流送風装置２０の冷蔵空気出口２２２及び第２の冷凍空気出口２２４を開き、第１の冷凍空気出口２２３を閉じることである。
【０１０３】
冷蔵パラメータＲ（Ｓｔａｔｅ）及び第１の冷凍パラメータＦ１（Ｓｔａｔｅ）が第３のパラメータ２、第２の冷凍パラメータＦ２（Ｓｔｓｔｅ）が第１のパラメータ０である場合に、集合（２、２、０）に対応するプリセット状態は、圧縮機を第５の圧縮機回転数で動作させ、ファン２３を第５のファン回転数で動作させ、冷蔵ダンパーを開き、分流送風装置２０の冷蔵空気出口２２２及び第１の冷凍空気出口２２３を開き、第２の冷凍空気出口２２４を閉じることである。
【０１０４】
冷蔵パラメータＲ（Ｓｔａｔｅ）が第１のパラメータ０であり、第１の冷凍パラメータＦ１（Ｓｔａｔｅ）及び第２の冷凍パラメータＦ２（Ｓｔｓｔｅ）が第３のパラメータ２である場合に、集合（０、２、２）に対応するプリセット状態は、圧縮機を第５の圧縮機回転数以上の第６の圧縮機回転数で動作させ、ファン２３を第５のファン回転数以上の第
６のファン回転数で動作させ、冷蔵ダンパーを閉じ、分流送風装置２０の冷蔵空気出口２２２を閉じ、第１の冷凍空気出口２２３及び第２の冷凍空気出口２２４を開くことである。
【０１０５】
冷蔵パラメータＲ（Ｓｔａｔｅ）、第１の冷凍パラメータＦ１（Ｓｔａｔｅ）及び第２の冷凍パラメータＦ２（Ｓｔｓｔｅ）が全て第３のパラメータ２である場合に、集合（２、２、２）に対応するプリセット状態は、圧縮機を第６の圧縮機回転数以上の第７の圧縮機回転数で動作させ、ファン２３を第６のファン回転数以上の第７のファン回転数で動作させ、冷蔵ダンパーを開き、分流送風装置２０の冷蔵空気出口２２２、第１の冷凍空気出口２２３及び第２の冷凍空気出口２２４を全て開くことである。
【０１０６】
冷蔵パラメータＲ（Ｓｔａｔｅ）、第１の冷凍パラメータＦ１（Ｓｔｓｔｅ）及び第２の冷凍パラメータＦ２（Ｓｔａｔｅ）の集合に基づき圧縮機、ファン２３、冷蔵ダンパー及び分流送風装置２０の対応するプリセット状態を決定した後に、圧縮機、ファン２３、冷蔵ダンパー及び分流送風装置２０を決定したプリセット状態で動作させることができる。
【０１０７】
圧縮機回転数及びファン回転数の具体値は実際ニーズ及び状況に応じて設定され得る。そして、殆どの場合に、圧縮機回転数及びファン回転数は、冷蔵庫１００の環境温度に比例し、即ち、環境温度が高いほど、圧縮機回転数及びファン回転数が高くなる。例えば、環境温度が１６℃未満の場合に、第１の圧縮機回転数が１２００であり、第２の圧縮機回転数が１３８０であり、第３の圧縮機回転数が１８００であり、第４の圧縮機回転数が２１６０であり、第５の圧縮機回転数が２２８０であり、第６の圧縮機回転数が２４００であり、第７の圧縮機回転数が２５８０であり、環境温度は１６℃以上２８℃未満の場合に、第１の圧縮機回転数が１３８０であり、第２の圧縮機回転数が１５９０であり、第３の圧縮機回転数が１９８０であり、第４の圧縮機回転数が２５８０であり、第５の圧縮機回転数が２７００であり、第６の圧縮機回転数が２８２０であり、第７の圧縮機回転数が３０００であり、環境温度は２８℃以上３５℃未満の場合に、第１の圧縮機回転数が１５９０であり、第２の圧縮機回転数が１８００であり、第３の圧縮機回転数が２１６０であり、第４の圧縮機回転数が３０００であり、第５の圧縮機回転数が３１２０であり、第６の圧縮機回転数が３２４０であり、第７の圧縮機回転数が３４２０であり、環境温度は３５℃以上４３℃未満の場合に、第１の圧縮機回転数が１８００であり、第２の圧縮機回転数が１９８０であり、第３の圧縮機回転数が２５８０であり、第４の圧縮機回転数が３４２０であり、第５の圧縮機回転数が３５４０であり、第６の圧縮機回転数が３６６０であり、第７の圧縮機回転数が３８４０であり、環境温度は４３℃以上の場合に、第１の圧縮機回転数が２１６０であり、第２の圧縮機回転数が３０００であり、第３の圧縮機回転数が３４２０であり、第４の圧縮機回転数が３８４０であり、第５の圧縮機回転数、第６の圧縮機回転数及び第７の圧縮機回転数が共に４２００である。
【０１０８】
環境温度が１６℃未満の場合に、第１のファン回転数が１３００であり、第２のファン回転数が１３７０であり、第３のファン回転数が１５１０であり、第４のファン回転数が１６５０であり、第５のファン回転数が１７２０であり、第６のファン回転数が１７９０であり、第７のファン回転数が１８６０であり、環境温度は１６℃以上２８℃未満の場合に、第１のファン回転数が１３７０であり、第２のファン回転数が１４４０であり、第３のファン回転数が１５８０であり、第４のファン回転数が１７２０であり、第５のファン回転数が１７９０であり、第６のファン回転数が１８６０であり、第７のファン回転数が１９３０であり、環境温度は２８℃以上３５℃未満の場合に、第１のファン回転数が１４４０であり、第２のファン回転数が１５１０であり、第３のファン回転数が１６５０であり、第４のファン回転数が１７９０であり、第５のファン回転数が１８６０であり、第６のファン回転数が１９３０であり、第７のファン回転数が２０００であり、環境温度は３５℃以上４３℃未満の場合に、第１のファン回転数が１５１０であり、第２のファン回転数が１５８０であり、第３のファン回転数が１７２０であり、第４のファン回転数が１８６０であり、第５のファン回転数が１９３０であり、第６のファン回転数が２０００であり、第７のファン回転数が２０７０であり、環境温度は４３℃以上の場合に、第１のファン回転数が１６５０であり、第２のファン回転数が１７９０であり、第３のファン回転数が１８６０であり、第４のファン回転数が１９３０であり、第５のファン回転数が２０００であり、第６のファン回転数が２０７０であり、第７のファン回転数が２１４０である。なお、以上の各圧縮機回転数及びファン回転数の具体値は例示的なものに過ぎず、本発明を限定するものではない。
【０１０９】
以上のステップにおいて第１の所定閾値Ａ及び第２の所定閾値Ｂは共にゼロより大きい値である。本実施形態の冷蔵庫の冷却制御方法では、第１の冷凍空間１２または第２の冷凍空間１３が冷却を必要とする場合にのみ、冷蔵空間１１の冷却要求があるか否かを判定する。冷蔵空間１１にも冷却要求がある場合に、第１の冷凍空間１２または第２の冷凍空間１３の実測温度（所定の冷凍開始温度との差分が第１の所定閾値よりも大きい）が高すぎる場合のみに、冷却要求がある冷凍空間を冷却するし、第１の冷凍空間１２または第２の冷凍空間１３の実測温度が冷凍開始温度より高くても高すぎない場合に、優先的に冷蔵空間１１を冷却する。また、第１の冷凍空間１２または第２の冷凍空間１３の実測温度（所定の冷凍開始温度との差分が第１の所定閾値よりも大きい）が高すぎる場合に、冷蔵パラメータを第１のパラメータにリセットする、即ち冷蔵空間１１は冷却要求がないとする必要があり、このとき冷蔵空間１１の実測温度と冷蔵開始温度との差分が第２の所定閾値より大きい、即ち冷蔵空間の温度も高すぎる場合のみに、冷蔵パラメータを第３のパラメータに設定し、冷蔵空間を冷却する。
【０１１０】
第１の冷凍空間１２の実測温度が第１の冷凍開始温度以下であり且つ第２の冷凍空間１３の実測温度が第２の冷凍開始温度以下である場合、即ちすべての冷凍空間は冷却要求ない場合に、冷蔵パラメータを直接第１のパラメータに設定し、冷蔵空間は冷却する必要がないとし、このようにして圧縮機等の機器の起動頻度を減らし、そしてエネルギー消費量を効果的に減らすことができる。
【０１１１】
なお、ステップＳ４１２において、圧縮機、ファン２３、冷蔵ダンパー及び分流送風装置２０は、集合に対応するプリセット状態で所定時間動作可能であり、各貯蔵空間の冷却ニーズを満たし、所定時間動作する過程中に、温度検出、パラメータ設定の処理が行われなくなり、貯蔵空間の実測温度がわずか減少する度に冷却要求を判定することによる圧縮機等の機器の動作状態の頻繁な変更という状況が避けられる。所定時間動作した後に、新しい冷却制御のために上記のステップを再実行することができる。
【０１１２】
本実施形態の冷蔵庫の冷却制御方法は、単一貯蔵空間の単独冷却または複数の貯蔵空間の同時冷却を実現し、冷蔵空間１１、第１の冷凍空間１２及び第２の冷凍空間１３の実測温度状況を一括考慮して、冷却優先度が最も高い貯蔵空間をより正確に決定し、より合理的に冷却し、各貯蔵空間の冷却ニーズを満たし、冷蔵庫の貯蔵空間の温度安定性が改善される。
【０１１３】
さらに、本実施形態の冷蔵庫の冷却制御方法は、冷蔵パラメータ、第１の冷凍パラメータ及び第２の冷凍パラメータの集合に基づき圧縮機、ファン２３、冷蔵ダンパー及び分流送風装置２０を集合に対応するプリセット状態で動作させることによって、各貯蔵空間の温度均一性及び安定性の劣化によるある貯蔵空間温度が高すぎるまたは低すぎるという状況を避けて、効果的にエネルギー消費量を減らし各貯蔵空間内の食品の貯蔵効果が改善される。
【０１１４】
本実施形態はコンピュータ記憶媒体２００を更に提供し、図５は本発明の一実施形態によるコンピュータ記憶媒体２００の模式図であり、該コンピュータ記憶媒体２００にコンピュータプログラム２０１が記憶され、コンピュータプログラム２０１を実行することによって、コンピュータ記憶媒体２００を有する機器に上記任意の実施形態の冷蔵庫の冷却制御方法を実行させる。コンピュータ記憶媒体２００を有する機器は冷蔵庫１００であり、冷蔵庫１００に上記任意の実施形態の冷蔵庫の冷却制御方法を実行させる。
【０１１５】
本実施形態のコンピュータ記憶媒体２００は電子メモリ、例えばフラッシュメモリ、ＥＥＰＲＯＭ（電気的消去可能プログラマブル読み出し専用メモリ）、ＥＰＲＯＭ、ハードディスクまたはＲＯＭなどであってもよい。コンピュータ記憶媒体２００は、上記方法中のステップのいずれかを実行するためのコンピュータプログラム２０１用の記憶スペースを有する。これらのコンピュータプログラム２０１は、１つまたは複数のコンピュータプログラム製品から読み出し可能、または１つまたは複数のコンピュータプログラム製品に書き込み可能である。これらのコンピュータプログラム製品は、ハードディスク、コンパクトディスク（ＣＤ）、メモリカードまたはフロッピーディスクのようなプログラムコード媒体を含む。コンピュータ記憶媒体２００を有する機器に上記のコンピュータプログラム２０１を実行させることによって、上記説明した方法中の様々なステップを実行することができる。
【０１１６】
以上、当業者に理解されるように、本発明のいくつかの例示的な実施形態を説明したが、本発明の精神及び範囲を逸脱しない限り、本発明の開示内容から本発明の原理と一致する他の多くの変形や修正を直接決定または導出することが可能である。従って、本発明の範囲はこれらの全ての変形又は修正を網羅するものとして理解および解釈されるべきである。
【図１】
0006963035.tif 000002
【図２】
0006963035.tif 000003
【図３】
0006963035.tif 000004
【図４】
0006963035.tif 000005
【図５】
0006963035.tif 000006